(57)【要約】【課題】ターゲットの搬送過程において、ターゲットの平面性を確保するための吸着を実行しつつ、液体の付着により記録処理が施されたターゲットの乾燥ムラの発生を抑制することができるターゲット搬送装置及び記録装置を提供する。【解決手段】インクジェット式プリンタは、上流側から下流側に向けて搬送ベルト２１によって搬送される記録紙Ｐを支持可能な支持面３０ａを有し且つ支持面３０ａ上には吸引された場合に負圧を発生可能な吸引孔３１の長溝部３１ａが形成されたプラテン３０と、該プラテン３０を加熱するためのヒータと、ヒータからの熱がプラテン３０の支持面３０ａ及び搬送ベルト２１を介して記録紙Ｐに付与された際にプラテン３０において相対的に低温となる吸引孔３１の長溝部３１ａの偏在によって該記録紙Ｐに生じる温度差が抑制されるように搬送ベルト２１を介して該記録紙Ｐを加熱する補助プラテン４０とを備える。【選択図】図２
2013116638.tif 000002
【特許請求の範囲】
【請求項１】
上流側から下流側に向けて搬送されるターゲットを支持可能な支持面を有し且つ該支持面上には吸引された場合に負圧を発生可能な吸引孔の吸引開口が形成された支持部材と、  該支持部材を加熱するための加熱手段と、
該加熱手段からの熱が前記支持部材の前記支持面を介して前記ターゲットに付与された際に該支持部材において相対的に低温となる前記吸引開口の偏在によって該ターゲットに生じる温度差が抑制されるように前記ターゲットの温度を調整する温度調整手段と
を備えたことを特徴とするターゲット搬送装置。
【請求項２】
請求項１に記載のターゲット搬送装置において、
前記温度調整手段は、前記ターゲットが前記支持部材の前記支持面上に搬送される前段階で、前記ターゲットの温度を調整することを特徴とするターゲット搬送装置。
【請求項３】
請求項１または請求項２に記載のターゲット搬送装置において、
前記温度調整手段は、前記ターゲットにおける前記支持面上の相対的に前記吸引開口の占有比率が高い領域である高占有領域と対応する領域の温度よりも前記ターゲットにおける前記支持面上の相対的に前記吸引開口の占有比率が低い領域である低占有領域と対応する領域の温度の方が低くなるように、前記ターゲットの温度を調整することを特徴とするターゲット搬送装置。
【請求項４】
請求項１〜請求項３のうちいずれか一項に記載のターゲット搬送装置において、
前記ターゲットと前記支持部材との間に介在して前記ターゲットを載置する搬送体を備えると共に、該搬送体は前記吸引開口と連通可能な連通部を有し、
該連通部が前記吸引開口と連通して前記吸引孔からの吸引力が前記ターゲットに及ぶことで、該ターゲットが前記搬送体に吸着されることを特徴とするターゲット搬送装置。
【請求項５】
請求項１〜請求項４のうちいずれか一項に記載のターゲット搬送装置と、
前記支持部材の支持面上に支持された前記ターゲットに対して記録処理を施す記録手段と
を備えたことを特徴とする記録装置。
【請求項６】
上流側から下流側に向けて搬送されるターゲットを支持可能な支持面を有し且つ該支持面上には吸引された場合に負圧を発生可能な吸引孔の吸引開口が形成された第１の支持部材と、
前記第１の支持部材を加熱するための加熱手段と、
前記第１の支持部材の上流側または下流側において、前記ターゲットを支持すると共に支持された該ターゲットを加熱する第２の支持部材と
を備え、
前記第２の支持部材は、前記ターゲットの搬送方向に直交する方向に対する前記第１の支持部材における前記吸引開口の偏在に対応して、加熱量に関してパターン化された加熱領域を有していることを特徴とするターゲット搬送装置。
【発明の詳細な説明】
【技術分野】
【０００１】
本発明は、例えば、インクジェット式プリンタなどの記録装置、及び該記録装置に備えられるターゲット搬送装置に関する。
【背景技術】
【０００２】
従来、記録装置の一つとして、記録ヘッドからインクを吐出してターゲットに文字や画像を印刷するインクジェット式記録装置（以下、「プリンタ」と言う）が広く知られている（例えば、特許文献１）。この特許文献１に記載のプリンタには、ターゲットを支持するためのプラテン（支持部材）と、該プラテンに支持されるターゲットに対してインクを噴射する記録ヘッド（記録手段）とが設けられている。そして、プラテンよりも上流側からプラテン上にターゲットが搬送されると、ターゲットの搬送が一時停止された状態で、プラテン上のターゲットに対して記録ヘッドからインクが噴射されるようになっている。
【０００３】
また、プラテンの上面には、ターゲットの幅方向全域に亘って複数の吸引孔が形成されている。そして、これらの吸引孔内をファン（吸引手段）によって吸引することによりターゲットがプラテンに吸着される。その結果、ターゲットは、プラテン上での平面性が確保され、記録ヘッドから噴射されたインクがターゲットに対して好適に着弾するようになっている。
【０００４】
また、プラテンの下面部には、ターゲットの幅方向に延びる複数の加熱手段がプラテンに接触するように配設されている。そして、該加熱手段からの熱がプラテンを介して該プラテン上のターゲットに伝わることにより、ターゲットに着弾したインクを速やかに乾燥させることが可能となっている。
【先行技術文献】
【特許文献】
【０００５】
【特許文献１】特開２００６−１５０７２３号公報
【発明の概要】
【発明が解決しようとする課題】
【０００６】
ところで、特許文献１に記載のプリンタでは、吸引孔の円形状をなす吸引開口がプラテンの上面に正方格子状に配設されており、搬送方向に沿って形成された複数の吸引開口からなる吸引開口列が幅方向に所定の間隔をおいて複数列形成されている。そのため、ターゲットがプラテンの上面を通過する場合、ターゲットの特定の領域が各吸引開口列の吸引開口上を繰り返し通過する一方、この領域により幅方向に沿って挟まれた領域は吸引開口上を全く通過しない構成となっている。そのため、ターゲットには搬送方向に沿う筋状の高温部と低温部が生じ、ターゲットの記録領域に温度ムラが生じる。この結果、ターゲットの記録領域に吐出されたインクの乾燥の程度にバラツキが生じてしまい、印刷品質が低下するという問題があった。
【０００７】
本発明は、このような事情に鑑みてなされたものであり、その目的は、ターゲットの搬送過程において、ターゲットの平面性を確保するための吸着を実行しつつ、液体の付着により記録処理が施されたターゲットの乾燥ムラの発生を抑制することができるターゲット搬送装置及び記録装置を提供することにある。
【課題を解決するための手段】
【０００８】
上記目的を達成するために、本発明のターゲット搬送装置は、上流側から下流側に向けて搬送されるターゲットを支持可能な支持面を有し且つ該支持面上には吸引された場合に負圧を発生可能な吸引孔の吸引開口が形成された支持部材と、該支持部材を加熱するための加熱手段と、該加熱手段からの熱が前記支持部材の前記支持面を介して前記ターゲットに付与された際に該支持部材において相対的に低温となる前記吸引開口の偏在によって該ターゲットに生じる温度差が抑制されるように前記ターゲットの温度を調整する温度調整手段とを備えた。
【０００９】
通常、支持部材の支持面上に吸引孔の吸引開口が形成されている場合、加熱手段によって支持部材を加熱しても該支持部材の支持面上には吸引孔の吸引開口が形成されているため、支持面上における吸引開口が形成されている領域と支持面上における吸引開口が形成されていない領域とでは温度差が生じる。このため、加熱手段からの熱を支持部材の支持面を介してターゲットに付与しても、該ターゲットには温度差が生じてしまう。この点、上記構成によれば、このようにしてターゲットに生じる温度差が温度調整手段によって抑制されるので、ターゲットの搬送過程において、ターゲットの平面性を確保するための吸着を実行しつつ、ターゲットの乾燥ムラの発生を抑制することが可能となる。
【００１０】
また、本発明のターゲット搬送装置において、前記温度調整手段は、前記ターゲットが前記支持部材の前記支持面上に搬送される前段階で、前記ターゲットの温度を調整する。
上記構成によれば、支持部材の支持面上でターゲットに生じる温度差が抑制されるように、ターゲットが支持面上を通過する前段階で温度調整手段によりターゲットの温度が調整される。したがって、ターゲットに生じる温度差が支持面上で抑制されるので、支持面上におけるターゲットの乾燥ムラの発生を抑制することが可能となる。
【００１１】
また、本発明のターゲット搬送装置において、前記温度調整手段は、前記ターゲットにおける前記支持面上の相対的に前記吸引開口の占有比率が高い領域である高占有領域と対応する領域の温度よりも前記ターゲットにおける前記支持面上の相対的に前記吸引開口の占有比率が低い領域である低占有領域と対応する領域の温度の方が低くなるように、前記ターゲットの温度を調整する。
【００１２】
通常、ターゲットは、支持面上を搬送される過程において、高占有領域を通過する領域よりも低占有領域を通過する領域の方が支持面との接触時間が長くなる。すなわち、ターゲットは、高占有領域を通過する領域における支持面からの受熱量よりも低占有領域を通過する領域における支持面からの受熱量の方が多くなるため、支持面上において温度差が生じる。この点、上記構成によれば、温度調整手段が、ターゲットにおける高占有領域と対応する領域の温度よりもターゲットにおける低占有領域と対応する領域の温度の方が低くなるように、ターゲットの温度を調整するため、支持面上において生じるターゲットの温度差を確実に抑制することが可能となる。
【００１３】
また、本発明のターゲット搬送装置において、前記ターゲットと前記支持部材との間に介在して前記ターゲットを載置する搬送体を備えると共に、該搬送体は前記吸引開口と連通可能な連通部を有し、該連通部が前記吸引開口と連通して前記吸引孔からの吸引力が前記ターゲットに及ぶことで、該ターゲットが前記搬送体に吸着される。
【００１４】
上記構成によれば、ターゲットを支持部材の支持面上で搬送する搬送体を備えているため、ターゲットの形状は長尺状のものに制限されず、例えば断片状のターゲットを適用することが可能となる。加えて、搬送体は、支持部材の吸引孔と連通する連通部を有しているため、該連通部を通じて吸引孔からの吸引力がターゲットに及ぶことにより搬送体の上面に載置されたターゲットを搬送体に対して確実に吸着させることが可能となる。
【００１５】
また、本発明の記録装置は、上記構成のターゲット搬送装置と、前記支持部材の支持面上に支持された前記ターゲットに対して記録処理を施す記録手段とを備えた。
上記構成によれば、上記ターゲット搬送装置と同様の作用効果が得られる。
【００１６】
また、本発明のターゲット搬送装置は、上流側から下流側に向けて搬送されるターゲットを支持可能な支持面を有し且つ該支持面上には吸引された場合に負圧を発生可能な吸引孔の吸引開口が形成された第１の支持部材と、前記第１の支持部材を加熱するための加熱手段と、前記第１の支持部材の上流側または下流側において、前記ターゲットを支持すると共に支持された該ターゲットを加熱する第２の支持部材とを備え、前記第２の支持部材は、前記ターゲットの搬送方向に直交する方向に対する前記第１の支持部材における前記吸引開口の偏在に対応して、加熱量に関してパターン化された加熱領域を有している。
【００１７】
上記構成によれば、第１の支持部材の吸引開口の占有比率が高い領域と対応する第２の支持部材の領域ほど加熱量が多くなるように第２の支持部材の加熱領域をパターン化することで、ターゲットに生じる温度差を抑制することが可能となる。したがって、ターゲットの搬送過程において、ターゲットの平面性を確保するための吸着を実行しつつ、ターゲットの乾燥ムラの発生を抑制することが可能となる。
【図面の簡単な説明】
【００１８】
【図１】実施形態のプリンタの概略正面図。
【図２】同プリンタのベルト搬送装置の展開平面図。
【図３】図２の３−３線矢視断面図。
【発明を実施するための形態】
【００１９】
以下、本発明の記録装置をインクジェット式プリンタに具体化した一実施形態を図１及び図２に基づいて説明する。
図１に示すように、記録装置としてのインクジェット式プリンタ１１は、ターゲットとしての記録紙Ｐを搬送するためのターゲット搬送装置としてのベルト搬送装置１２を備えている。ベルト搬送装置１２は、用紙搬送方向下流側に図示しない駆動源によって回転駆動可能に設けられた駆動ローラ１８と、用紙搬送方向上流側に回転可能に設けられた従動ローラ１９と、駆動ローラ１８と従動ローラ１９の略中間位置の少し下側に回転可能に設けられたテンションローラ２０とを備えている。
【００２０】
各ローラ１８，１９，２０には、該各ローラ１８，１９，２０を囲むように、無端状の搬送体としての搬送ベルト２１が巻き掛けられている。そして、駆動ローラ１８を図１において半時計方向に回転駆動することで、搬送ベルト２１が各ローラ１８，１９，２０の外側に沿って周回移動するようになっている。
【００２１】
ベルト搬送装置１２の上流側（図１及び図２では右側）には給紙部１３が設けられ、給紙部１３とベルト搬送装置１２との間にはゲートローラ２２が設けられている。そして、給紙部１３に積重された記録紙Ｐは、給紙ローラ１４により一枚ずつゲートローラ２２を介してベルト搬送装置１２に給紙されるようになっている。一方、ベルト搬送装置１２の下流側（図１及び図２では左側）には、印刷後の記録紙Ｐを搬送ベルト２１上から排紙する排紙先となる排紙部１５が設けられている。したがって、排紙部１５には、印刷後の記録紙Ｐが順次積重されるようになっている。
【００２２】
搬送ベルト２１の内側であって駆動ローラ１８と従動ローラ１９との間の位置には、矩形箱状の支持部材としてのプラテン３０が、その上面である支持面３０ａを搬送ベルト２１に接触させるようにして設けられている。したがって、搬送ベルト２１は、その上面に載置された記録紙Ｐを上流側から下流側に向かって搬送する際には、支持面３０ａ上を摺動するようになっている。
【００２３】
また、従動ローラ１９とテンションローラ２０との間の位置、及び駆動ローラ１８とテンションローラ２０との間の位置には、温度調整手段としての矩形板状の補助プラテン４０が、その下面側を搬送ベルト２１に接触させるようにしてそれぞれ設けられている。なお、各補助プラテン４０にはヒータ（図示略）が埋設されており、該ヒータからの熱は補助プラテン４０の下面側から搬送ベルト２１に伝わるようになっている。
【００２４】
プラテン３０の上方には、該プラテン３０の支持面３０ａと対向するように記録手段としての複数（本実施形態では４つ）の長尺状のラインヘッド方式の記録ヘッド２３が配置されている。各記録ヘッド２３は、搬送ベルト２１の幅方向（記録紙Ｐの搬送方向と直交する方向）と平行に延びており、記録紙Ｐの搬送方向に沿って並列に配置されている。各記録ヘッド２３はインク供給チューブ２７を介してインクカートリッジ２６と接続されており、それぞれ対応するインクカートリッジ２６から互いに異なる種類（色）のインクが該各記録ヘッド２３に供給されるようになっている。
【００２５】
各記録ヘッド２３の下面には、インクカートリッジ２６から供給されたインクを噴射するための多数のノズル（図示略）が設けられている。そして、搬送ベルト２１によって搬送される記録紙Ｐの搬送速度に合わせたタイミングで各ノズルから該記録紙Ｐにインクを順次噴射することで該記録紙Ｐの印刷（記録処理）が行われるようになっている。
【００２６】
次に、プラテン３０の構成について詳述する。
図１及び図２に示すように、プラテン３０には、該プラテン３０を上下方向（プラテン３０の厚み方向）に貫通する多数の吸引孔３１が形成されている。各吸引孔３１は、プラテン３０の支持面３０ａ上で吸引開口を構成するとともに記録紙Ｐの搬送方向に長い長溝部３１ａと、該長溝部３１ａの内底面に連続して形成された小孔部３１ｂとにより構成されている。小孔部３１ｂは長溝部３１ａの長手方向における中央部に位置している。そして、記録紙Ｐの搬送方向と直交する方向において、長溝部３１ａの幅と小孔部３１ｂの幅とはほぼ同じになるように設定されている。
【００２７】
吸引孔３１は左右方向（搬送方向）に沿って等間隔で複数並ぶことで吸引孔列（吸引開口列）３２を構成しており、該吸引孔列３２は前後方向（搬送方向と直交する方向）に等間隔で互いに平行となるように複数並んでいる。この場合、各吸引孔３１は、全体として千鳥状に配列されている。
【００２８】
プラテン３０の支持面３０ａ上において、各吸引孔列３２と対応する領域は相対的に吸引孔３１の長溝部３１ａ（吸引開口）の占有比率の高い高占有領域とされる一方、各吸引孔列３２同士で挟まれた領域は相対的に吸引孔３１の長溝部３１ａ（吸引開口）の占有比率の低い低占有領域とされている。すなわち、プラテン３０の支持面３０ａ上には、吸引孔３１の長溝部３１ａ（吸引開口）が偏在した配置構成となっている。なお、本実施形態では、低占有領域に吸引孔３１の長溝部３１ａ（吸引開口）が全く存在しないため、低占有領域における吸引孔３１の長溝部３１ａ（吸引開口）の占有比率は０になっている。
【００２９】
また、プラテン３０の下面中央部には、該プラテン３０の内外を連通する開口部３０ｂが設けられているとともに、該開口部３０ｂを塞ぐように吸引ファン３４ａを有する誘引送風機３４が設けられている。プラテン３０内には、平面視で支持面３０ａと対応する形状をなす矩形板状の加熱手段としてのヒータ３６が該プラテン３０内の上面に対して下方から接触するように設けられている。ヒータ３６は、図示しない電源から電流が供給されることによって発熱し、プラテン３０の支持面３０ａ全体をほぼ均一に加熱するようになっている。したがって、ヒータ３６からの熱は、プラテン３０及び搬送ベルト２１を介して記録紙Ｐに伝わるようになっている。
【００３０】
ヒータ３６におけるプラテン３０の各吸引孔３１（小孔部３１ｂ）と対応する位置には、該ヒータ３６を上下方向に貫通する貫通孔３７がそれぞれ形成されている。また、搬送ベルト２１におけるプラテン３０の支持面３０ａ上に開口する各吸引孔３１（長溝部３１ａ）と対応する位置には、該各吸引孔３１と連通可能な連通部としての連通孔３５が該搬送ベルト２１を上下に貫通するようにそれぞれ形成されている。
【００３１】
そして、誘引送風機３４の駆動により吸引ファン３４ａが回転すると、開口部３０ｂを介してプラテン３０内が吸引されて各貫通孔３７内及び各吸引孔３１内に負圧が発生し、該負圧の発生によりプラテン３０側に記録紙Ｐが吸引されるようになっている。すなわち、各吸引孔３１からの吸引力が連通孔３５を通じて搬送ベルト２１上に載置された記録紙Ｐに及ぶことにより、記録紙Ｐが搬送ベルト２１上に吸着されるようになっている。
【００３２】
次に、補助プラテン４０の構成について詳述する。
図２及び図３に示すように、補助プラテン４０における搬送ベルト２１側の面には記録紙Ｐの搬送方向に沿って延びる複数の断面視等脚台形状をなす凸条４１が設けられており、各凸条４１の上面は搬送ベルト２１における記録紙Ｐが載置される側の面とは反対側の面に摺接する摺接面４１ａとされている。各凸条４１は、記録紙Ｐの搬送方向と直交する方向に沿って互いに平行且つ等間隔となるように配置されており、搬送ベルト２１の周回移動方向においてプラテン３０の支持面３０ａ上の各吸引孔列３２とそれぞれ対応している。
【００３３】
すなわち、補助プラテン４０の各凸条４１は、搬送ベルト２１の周回移動方向に沿ったプラテン３０の支持面３０ａ上の各吸引孔列３２の延びる延長線上にそれぞれ配設されている。したがって、搬送ベルト２１による記録紙Ｐの搬送時には、搬送ベルト２１における補助プラテン４０の各凸条４１の摺接面４１ａ上を摺動する領域は、プラテン３０の支持面３０ａ上の高占有領域（支持面３０ａにおける各吸引孔列３２と対応する領域）上を摺動するようになっている。
【００３４】
なお、補助プラテン４０における各凸条４１（摺接面４１ａ）間の領域は、搬送ベルト２１の周回移動方向においてプラテン３０の支持面３０ａ上の低占有領域（支持面３０ａにおける各吸引孔列３２間の領域）とそれぞれ対応している。
【００３５】
次に、上記のように構成されたインクジェット式プリンタ１１の作用について説明する。
さて、記録紙Ｐの印刷を行う場合には、誘引送風機３４を駆動させるとともにヒータ３６に電流を供給した状態で、駆動ローラ１８を駆動して搬送ベルト２１による記録紙Ｐの搬送を開始する。そして、記録紙Ｐが搬送ベルト２１によってプラテン３０上に搬送されると、誘引送風機３４の吸引力が、開口部３０ｂ、各貫通孔３７、各吸引孔３１、及び連通孔３５を介して搬送ベルト２１上に載置された記録紙Ｐに作用し、該記録紙Ｐが該搬送ベルト２１上に吸着される。
【００３６】
このとき、プラテン３０の支持面３０ａにはヒータ３６からの熱が均一に付与されているため、ヒータ３６からの熱は支持面３０ａから搬送ベルト２１越しに記録紙Ｐに伝わる。そして、ヒータ３６からの熱で暖められた状態の記録紙Ｐに各記録ヘッド２３の各ノズル（図示略）から噴射されたインクが付着することで該記録紙Ｐに印刷が行われる。
【００３７】
ここで、プラテン３０の支持面３０ａ上における高占有領域では、支持面３０ａと搬送ベルト２１とがほとんど接触しないため、支持面３０ａからの熱が搬送ベルト２１にほとんど伝わらない。その上、各吸引孔３１は周囲の空気を吸い込むため、このときの空気流によって、支持面３０ａ上における高占有領域では搬送ベルト２１が逆に冷却されてしまう。一方、支持面３０ａ上における低占有領域では、支持面３０ａと搬送ベルト２１とが十分に接触するため、搬送ベルト２１が十分に加熱される。
【００３８】
この結果、搬送ベルト２１がプラテン３０の支持面３０ａ上を摺動する過程で、搬送ベルト２１における低占有領域を摺動する領域は搬送ベルト２１における高占有領域を摺動する領域よりも温度が高くなる。このため、搬送ベルト２１に温度差が生じることで、搬送ベルト２１上に吸着された記録紙Ｐにも温度差が生じてしまう。
【００３９】
この点、本実施形態では、搬送ベルト２１は、プラテン３０の支持面３０ａ上を摺動する前段階において、２つの補助プラテン４０の摺接面４１ａを摺動する過程で、プラテン３０の支持面３０ａの高占有領域を摺動する領域のみが加熱される。すなわち、搬送ベルト２１は、プラテン３０の支持面３０ａ上を摺動する前段階において、プラテン３０の支持面３０ａの高占有領域を摺動する領域の温度がプラテン３０の支持面３０ａの低占有領域を摺動する領域の温度よりも高くなるように温度が調整される。
【００４０】
このため、搬送ベルト２１は、プラテン３０の支持面３０ａ上を摺動する過程においてプラテン３０の支持面３０ａからの熱を受けることで、２つの補助プラテン４０によって形成された温度差が小さくなり、温度がほぼ均一になる。すなわち、２つの補助プラテン４０を摺動することによって搬送ベルト２１に生じる温度差と、プラテン３０の支持面３０ａを摺動することによって搬送ベルト２１に生じる温度差とが相殺される。
【００４１】
この結果、プラテン３０の支持面３０ａ上において、記録紙Ｐは、ほぼ均一に加熱された搬送ベルト２１からの熱を受けることで、全域に亘ってほぼ均一に暖められる。このため、印刷によって記録紙Ｐに付着したインクはほぼ均一に加熱乾燥されるので、記録紙Ｐにインクの滲みや凝集が発生することが抑制される。なお、印刷が完了した記録紙Ｐは、搬送ベルト２１上から排紙部１５に排紙される。
【００４２】
以上、詳述した実施形態によれば、以下の効果を得ることができる。
（１）通常、搬送ベルト２１は、プラテン３０の支持面３０ａ上を摺動する過程において、支持面３０ａの高占有領域を通過する領域よりも低占有領域を通過する領域の方が支持面３０ａとの接触時間が長くなる。すなわち、搬送ベルト２１は、高占有領域を通過する領域における支持面３０ａからの受熱量よりも低占有領域を通過する領域における支持面３０ａからの受熱量の方が多くなるため、支持面３０ａ上において温度差が生じる。したがって、温度差が生じた搬送ベルト２１から該搬送ベルト２１上に載置された記録紙Ｐに熱が伝わることで、記録紙Ｐにも搬送ベルト２１と同様に温度差が生じる。そして、記録紙Ｐに温度差が生じた状態で印刷が行われると、インクが付着した記録紙Ｐに乾燥ムラが発生するため、印刷品質の低下を招いてしまうこととなる。
【００４３】
この点、本実施形態では、２つの補助プラテン４０が、搬送ベルト２１における支持面３０ａの高占有領域と対応する領域の温度よりも搬送ベルト２１における支持面３０ａの低占有領域と対応する領域の温度の方が低くなるように、搬送ベルト２１の温度を調整するため、支持面３０ａ上において生じる搬送ベルト２１の温度差を小さくすることができる。したがって、記録紙Ｐに生じる温度差も小さくなるため、該記録紙Ｐをほぼ均一に加熱することができる。この結果、記録紙Ｐの搬送過程において、記録紙Ｐの平面性を確保するための搬送ベルト２１への吸着を実行しつつ、インクが付着した記録紙Ｐをほぼ均一に加熱乾燥することができる。よって、インクが付着した記録紙Ｐの乾燥ムラの発生を抑制することができるので、記録紙Ｐの印刷品質を向上させることができる。
【００４４】
（２）２つの補助プラテン４０は記録紙Ｐが搬送ベルト２１によってプラテン３０の支持面３０ａ上に搬送される前段階で搬送ベルト２１の温度を調整するため、この温度が調整された搬送ベルト２１が支持面３０ａから熱を受けることで、支持面３０ａ上において搬送ベルト２１の温度を迅速にほぼ均一にすることができ、ひいては記録紙Ｐの温度を迅速にほぼ均一にすることができる。したがって、印刷時において、インクが付着した記録紙Ｐを確実にほぼ均一に乾燥させることができる。
【００４５】
なお、上記実施形態は以下のように変更してもよい。
・２つの補助プラテン４０を加熱するための加熱手段は、ヒータ以外の任意の加熱手段を採用してもよい。例えば、２つの補助プラテン４０内に流体が流動可能な流路を形成し、該流路内に暖かい流体（例えば、温水や熱風）を供給することにより、両補助プラテン４０を加熱するようにしてもよい。
【００４６】
・２つの補助プラテン４０のうちいずれか一方を省略してもよい。
・補助プラテン４０の各凸条４１を搬送ベルト２１の周回移動方向においてプラテン３０の支持面３０ａ上の低占有領域（各吸引孔列３２同士の間の領域）とそれぞれ対応するように配置するとともに、補助プラテン４０を冷却手段によって冷却可能な構成としてもよい。
【００４７】
・搬送ベルト２１を省略してもよい。この場合、ターゲットには記録紙Ｐではなく長尺状のロール紙が用いられる。そして、このロール紙は、ベルト搬送装置１２の図１における右側（上流側）から繰り出され、プラテン３０（第１の支持部材）上で印刷された後、ベルト搬送装置１２の図１における左側（下流側）で巻き取られる。また、この場合、ベルト搬送装置１２よりも図１における右側（上流側）となる位置で補助プラテン４０（第２の支持部材）によりロール紙に温度差が付与される構成としてもよい。あるいは、補助プラテン４０をベルト搬送装置１２よりも図１における左側（下流側）となる位置に設けて、プラテン３０の支持面３０ａ上を通過する過程で生じたロール紙の温度差を抑制するようにしてもよい。この場合、補助プラテン４０における各凸条４１の摺接面４１ａは、ロール紙の搬送方向に直交する方向に対するプラテン３０の支持面３０ａにおける各吸引孔３１の長溝部３１ａの偏在に対応して、加熱量に関してパターン化された加熱領域を構成している。
【００４８】
・上記実施形態において、記録装置はインクジェット式プリンタ１１に限定されない。例えば、熱転写プリンタ、ＴＡ（サーモオートクローム）プリンタ、レーザプリンタ等の他の印刷様式のプリンタにも適用できる。
【符号の説明】
【００４９】
１１…記録装置としてのインクジェット式プリンタ、１２…ターゲット搬送装置としてのベルト搬送装置、２１…搬送体としての搬送ベルト、２３…記録手段としての記録ヘッド、３０…支持部材及び第１の支持部材としてのプラテン、３０ａ…支持面、３１…吸引孔、３１ａ…吸引開口を構成する長溝部、３５…連通部としての連通孔、３６…加熱手段としてのヒータ、４０…温度調整手段及び第２の支持部材としての補助プラテン、Ｐ…ターゲットとしての記録紙。
【図１】
2013116638.tif 000003
【図２】
2013116638.tif 000004
【図３】
2013116638.tif 000005
【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
ターゲットを支持する支持部材と、
前記支持部材に支持された前記ターゲットに対して記録処理を施す記録手段と、
該支持部材を加熱する加熱手段と、
前記加熱手段により加熱された前記支持部材に前記ターゲットが支持された場合に生じる前記ターゲットの温度差が抑制されるように、前記ターゲットの温度を調整する温度調整手段と、を備え、
前記温度調整手段は、前記ターゲットが前記支持部材に支持される前に前記ターゲットの温度を調整することを特徴とする記録装置。
【請求項２】
請求項１に記載の記録装置において、
前記温度調整手段は、前記記録処理が施された後の前記ターゲットの温度を調整することを特徴とする記録装置。
【請求項３】
請求項１または２に記載の記録装置において、
前記支持部材は、吸引された場合に負圧を発生可能な吸引開口を有し、
前記温度調整手段は、前記吸引開口の偏在によって該ターゲットに生じる温度差が抑制されるように前記ターゲットの温度を調整することを特徴とする記録装置。
【請求項４】
請求項３に記載の記録装置において、
前記温度調整手段は、前記ターゲットのうち、前記支持部材の前記吸引開口の占有比率が第１の比率である第１の領域と対応する部分の温度よりも、前記ターゲットのうち、前記支持部材の前記吸引開口の占有比率が前記第１の比率よりも低い第２の比率である第２の領域と対応する部分の温度の方が低くなるように、前記ターゲットの温度を調整することを特徴とする記録装置。
【請求項５】
吸引された場合に負圧を発生可能な吸引開口を有し、前記ターゲットを支持する第１の支持部材と、
前記第１の支持部材に支持された前記ターゲットに対して記録処理を施す記録手段と、
前記第１の支持部材を加熱する加熱手段と、
前記ターゲットが前記第１の支持部材に支持される前または支持された後に前記ターゲットを支持し、前記第１の支持部材における前記吸引開口の偏在に対応して、加熱量に関してパターン化された加熱領域を有する第２支持部材と、
を備えることを特徴とする記録装置。
【手続補正３】
【補正対象書類名】明細書
【補正対象項目名】０００７
【補正方法】変更
【補正の内容】
【０００７】
上記目的を達成するために、本発明のターゲット搬送装置は、上流側から下流側に向けて搬送されるターゲットを支持可能な支持面を有し且つ該支持面上には吸引された場合に負圧を発生可能な吸引孔の吸引開口が形成された支持部材と、該支持部材を加熱するための加熱手段と、該加熱手段からの熱が前記支持部材の前記支持面を介して前記ターゲットに付与された際に該支持部材において相対的に低温となる前記吸引開口の偏在によって該ターゲットに生じる温度差が抑制されるように前記ターゲットの温度を調整する温度調整手段とを備え、前記温度調整手段は、前記ターゲットが前記支持部材の前記支持面上に搬送される前段階で、前記ターゲットの温度を調整する。
【手続補正４】
【補正対象書類名】明細書
【補正対象項目名】０００９
【補正方法】変更
【補正の内容】
【０００９】
また、支持部材の支持面上でターゲットに生じる温度差が抑制されるように、ターゲットが支持面上を通過する前段階で温度調整手段によりターゲットの温度が調整される。したがって、ターゲットに生じる温度差が支持面上で抑制されるので、支持面上におけるターゲットの乾燥ムラの発生を抑制することが可能となる。